(57)【特許請求の範囲】
【請求項１】
原稿が載置される原稿受け部材が設けられ、この原稿受け部材上に該原稿受け部材の一辺に沿った支軸を中心として回動して原稿を押圧する原稿押え蓋が設けられた原稿読み取り装置等の原稿台において、
前記原稿受け部材は、前記原稿押え蓋の支軸と反対側の位置に原稿位置決めピンを有し、前記原稿押え蓋の支軸と平行な揺動中心によって揺動可能であると共に、前記揺動中心が、原稿受け部材の重心位置より前記原稿押え蓋の支軸から離れた位置に設置され、前記原稿押え蓋の閉回動に応じて前記原稿位置決めピン近傍部分が最初に前記原稿押え蓋に接することを特徴とする原稿読み取り装置等における原稿台。
【発明の詳細な説明】
【０００１】
【発明の属する技術分野】
本発明は、印刷原稿から製版する際に使用する原稿読み取り装置等における原稿台の構造に関するものである。
【０００２】
【従来の技術】
例えば、印刷用に使用される原稿読み取り装置は、原稿台に原稿をセットし、この原稿台を横方向に移動させて、原稿に線状に照明光を照射し、レンズ系を介してラインセンサ上に結像し、ラインセンサを順に走査して画像信号を読み取ると共に、前記原稿台の移動によって副走査して原稿全体を読み取るようにしている。
【０００３】
そして、上記原稿台に対して原稿は所定位置に位置決めして平坦に保持する必要があることから、ガラス板等の原稿受け部材上に原稿を位置決めピンに位置決め穴を係止して載置し、その上に原稿押え蓋を閉回動して、この原稿押え蓋と原稿受け部材との間に原稿を圧接して保持するようにしている。
【０００４】
【発明が解決しようとする課題】
しかして、上記のように原稿押え蓋を閉じて原稿受け部材上の原稿を押圧するようにした原稿台では、原稿が所定位置からずれる恐れがある。
【０００５】
具体的には、固定された原稿受け部材上に位置決めピンに位置決め穴を係止して原稿を置き、一端を支軸によって枢支して回動する原稿押え蓋を閉回動させた場合に、この原稿押え蓋は全面が同時に原稿に接触するのではなく、通常はその支軸に近い部分が先に接触して順に反対側へと接触し、原稿受け部材と原稿間の空気を排除するように押圧作用を有するものであり、原稿の形態によっては押圧に応じて原稿にはそれを滑らせるような力が作用することになり、位置決めピンに係止している位置決め穴がピンから外れたり、破れたりして原稿位置がずれることがある。
【０００６】
そこで本発明は上記事情に鑑みなされたもので、原稿押え蓋を閉じて原稿受け部材上に載置した原稿を圧接保持する際に、原稿に力が作用せず所定位置にセットできるようにした原稿読み取り装置等における原稿台を提供せんとするものである。
【０００７】
【課題を解決するための手段】
上記課題を解決した本発明の原稿台は、原稿を載置する原稿受け部材上に、その一辺に沿った支軸を中心として回動して原稿を押圧する原稿押え蓋を設け、前記原稿受け部材は、前記原稿押え蓋の支軸と反対側の位置に原稿位置決めピンを有し、前記原稿押え蓋の支軸と平行な揺動中心によって揺動可能であると共に、前記揺動中心が、原稿受け部材の重心位置より前記原稿押え蓋の支軸から離れた位置に設置され、前記原稿押え蓋の閉回動に応じて前記原稿位置決めピン近傍部分が最初に前記原稿押え蓋に接することを特徴とするものである。
【０００９】
【発明の効果】
上記のような本発明の原稿台によれば、原稿受け部材を重心とは異なる位置を揺動中心として揺動可能に設け、この原稿受け部材は自重によって傾斜することにより、原稿押え蓋を閉じる際に、この原稿押え蓋はまず自重による揺動で高くなっている位置の原稿受け部材に接触し、さらに原稿押え蓋の閉作動でその傾斜角が変化するのに対応して原稿受け部材が揺動しつつ両者の面が合致して原稿を両者間に圧接保持するものであって、原稿に対してそれをずらすような力が作用することなく確実に所定の位置に保持することができ、位置決め穴への影響も生起することなく良好な原稿のセットが行える。
【００１０】
特に位置決めピンを支軸と反対側に配置すると、原稿のセット作業が容易に行えると共に、この位置決め部分から原稿押え蓋との接触を開始することになって、より一層位置決め穴の部分へ力が作用することなく原稿押え蓋を閉じることができるものである。
【００１１】
【発明の実施の形態】
以下、本発明の一つの実施の形態を図面に沿って説明する。図１および図２は本発明の原稿台を有する原稿読み取り装置の全体構成を示す正面図および側面図である。
【００１２】
原稿読み取り装置１は、装置の枠組みを構成する本体フレーム４が低く形成された原稿セット部２とこれより高く形成された読み取り部３とを備え、原稿セット部２には原稿を着脱自在に保持する原稿台５を有し、この原稿台５が横方向に読み取り部３内にスライド移動可能に設けられている。また、上記読み取り部３は、原稿を線状に照明する反射原稿照明用ファイバー６，７と透過原稿照明用ファイバー８を上下に有すると共に、前記原稿が移動する高さより上方にレンズ系１５とラインセンサ１６を備えたカメラ９、その前方に回転ドラム式フィルター１０、ミラー部１１を備え、下方にはランプボックス１２、基板ボックス１３が配置されている。
【００１３】
一方、上記原稿台５は、２本のガイドバー２１，２２によって摺動自在に支持された移動基盤２３と、該移動基盤２３に揺動可能に搭載され原稿を上面に載置する透明材料による原稿受け部材２４と、移動基盤２３に開閉自在に装着され原稿受け部材２４に原稿を圧接した状態で閉じる透明材料による原稿押え蓋２５が設置されている。この原稿押え蓋２５はダンパアーム２６によって開方向に付勢される。
【００１４】
上記移動基盤２３は、本体フレーム４に原稿セット部２から読み取り部３に渡って延設された前述のガイドバー２１，２２に支持されて移動可能であると共に、同様に原稿セット部２から読み取り部３に渡って延設されたボールネジ２７に螺合連係されて駆動モータ２８によるボールネジ２７の回転駆動によって定速移動制御される。前記駆動モータ２８は読み取り部３内に設置され、ボールネジ２７の端部に連係されている。
【００１５】
なお、図示していないが前記原稿セット部２の上面には、開閉カバーが設置され、原稿台５の移動時には上方は閉じられている。また、前記原稿押え蓋２５の閉塞状態は後述のロック機構４８（図３および図４参照）によってロックされ、このロックの解放機構は本体フレーム４側に配設され、前記原稿台５が所定の位置に停止している状態でのみ原稿押え蓋２５の開閉が可能に設けられている。
【００１６】
一方、前記読み取り部３には、前述のように移動してきた原稿台５の上方に１対の第１および第２反射原稿照明用ファイバー６，７が設置され、下方には１つの透過原稿照明用ファイバー８が設置され、線状に原稿を照明する。各ファイバー６〜８は多数の光ファイバーで構成され、その照明端は１列に線状に並べられてホルダーに保持され、他端は円筒状に束ねられ読み取り部３の下方に配置されたランプボックス１２の光源（ハロゲンランプ）に対向して設置されている。また、線状の照明端の前方には円筒棒状のレンズ３１〜３３を介して光束が調整されて原稿に照射される。前記ランプボックス１２には３つの光源がまとめて配置され、ランプボックス１２内は冷却ファンによって冷却される。
【００１７】
第１反射原稿照明用ファイバー６は、その照明端は原稿の進行方向の斜め４５度前方から原稿の表面を照明するように傾斜配置される。第２反射原稿照明用ファイバー７は、その照明端は原稿進行方向に対し前方から水平に設置され、対向部分には斜め下方に傾斜設置された反射ミラー３４が設けられ、進行方向に対して斜め４５度後方から原稿の表面を照明するように配設されている。透過原稿照明用ファイバー８は、その照明端は原稿の進行方向に対し前方から水平に設置され、対向部分には斜め上方に傾斜配置された反射ミラー３５が設けられ下方から上方に原稿を透過照明する。
【００１８】
上記照明用ファイバー６〜８による原稿の照明位置の上方にはミラー部１１が設けられ、このミラー部１１は読み取り部３の本体フレーム４の上端隅部に設置され、このミラー部１１の反射面は下方からの光を原稿進行方向とほぼ平行な方向に反射するものであるが、９０度に反射するのではなく、反射後の光軸が水平方向（原稿の進行方向）に対して少し下向きに傾斜するように設定されている。上記ミラー部１１で反射された光路には、順に回転ドラム式フィルター１０、カメラ９のレンズ系１５、ラインセンサ１６が設置されており、これらが取付フレーム３７に固着され、該取付フレーム３７が本体フレーム４に対して傾斜して固着されている。またカメラ９の取付位置は調整可能に設けられている。
【００１９】
前記カメラ９は、鏡胴にレンズ系１５が設けられ、その焦点位置にハーフプリズム３９を介して光路が分割され、それぞれにラインセンサ１６が交互に設置されて一直線上の信号が連続して得られるように構成されている。このラインセンサ１６における各センサの信号を順次読み取る主走査が、図示しない制御基板によって行われ、その制御基板はカメラ背部の基板収納部４０に設置され、カメラ９と基板収納部４０との間にはレンズ系１５の焦点距離のバラツキ吸収のための調整空間が設けられ、カメラ９は光軸方向に移動調整される。
【００２０】
前記回転ドラム式フィルター１０は、円筒ドラムの両側回転板が軸１０ａにて枢支され、円筒部分に複数枚（例えば６枚）のフィルター４１が等間隔に配設され、カメラ９のレンズ前方に停止したフィルター４１に対して反対側の円筒面のフィルター間隙を光軸が通るように設けられ、その回転位置制御で所望のフィルター４１が使用できるようにしている。
【００２１】
前記原稿台５の詳細構造を、図３および図４に沿って説明する。前記移動基盤２３は箱状に形成され上面は周囲の枠部２３ａを除く中央部分が原稿受け部材２４の挿入空間に設けられている。この挿入空間の両側部（原稿移動方向の前後部）にはほぼ中央位置に軸受部材４５が設けられ、この軸受部材４５はＵ字状に上端が開放し、後述の原稿受け部材２４の揺動軸部５３が上方から挿入係止される。
【００２２】
また、前記原稿押え蓋２５は、上記移動基盤２３の背部側の一辺に沿う部分に、原稿移動方向に沿って延びる支軸４６を中心として回動自在に取り付けられている。この原稿押え蓋２５は周囲に枠部２５ａが形成され、開放した中央部に上ガラス板４７が装着されてなり、前記移動基盤２３に支持された支軸４６と反対側の開閉前部には前記移動基盤２３に対するロック機構４８が設けられている。さらに両側には一端が移動基盤２３に取り付けられた前述のダンパアーム２６の先端が連結されている。上記ロック機構４８は、移動基盤２３に設けられた係止爪４９と係止して閉塞状態を保持し、その係止状態の解除は本体フレーム４に設置された図示しない解除機構によって行われる。
【００２３】
一方、原稿受け部材２４は、周囲の枠体２４ａに対して原稿載置面を構成する下ガラス板５１が上面に配設され、この下ガラス板５１は枠体２４ａに対して図示しないスプリングを介して支持され、上下方向に浮動状態であると共に上方に付勢されている。また枠体２４ａの原稿押え蓋２５の支軸４６と反対側部分には原稿位置決めピン５２が突設されている。
【００２４】
さらに、前記原稿受け部材２４には、両側にローラによる揺動軸部５３が設けられ、この揺動軸部５３が前述の移動基盤２３の軸受部材４５に上方から挿入されて、原稿受け部材２４は支軸４６と平行な揺動中心によって揺動可能に支持されている。そして、上記揺動中心は、原稿受け部材２４の重心位置（ほぼ平面的な中心位置）より位置決めピン５２の側、すなわち支軸４６から離れる方向にずれた位置に設置されている。これにより、原稿受け部材２４は自由状態（図３の原稿押え蓋２５の開放状態）において傾動して位置決めピン５２側が高くなるように設けられている。
【００２５】
上記のような実施の形態によれば、原稿台５に原稿Ｃをセットするべく原稿押え蓋２５を開いた状態では、原稿受け部材２４は図３に示すようにその自重によって、位置決めピン５２の側が高くなるように揺動する。原稿押え蓋２５を大きく開いた状態で、前記原稿受け部材２４上に原稿Ｃをその位置決め穴を位置決めピン５２に係止しつつ平坦におき、その後に原稿押え蓋２５を閉じる。この原稿押え蓋２５を閉じる過程において、図３に示した状態よりさらに原稿押え蓋２５を閉じると、その上ガラス板４７の内面は最初に位置決めピン５２側の原稿に接触し、原稿受け部材２４の下ガラス板５１との間で原稿Ｃを押え、続いて原稿押え蓋２５を閉じるのに対応してその面と平行になるように原稿受け部材２４が揺動軸部５３を中心として揺動し、原稿Ｃに対する押圧部分が順次位置決めピン５２側から支軸４６側に広がる。最終的には、原稿押え蓋２５と原稿受け部材２４とは水平状態で平行になり、両者間に平坦に原稿Ｃを押圧し、原稿押え蓋２５のロック機構４８が移動基盤２３の係止爪４９に係止して原稿Ｃのセット状態を保持する。これにより原稿Ｃのセットが終了し、原稿台５は読み取り部３内に移動されてその読み取りが行われる。
【図面の簡単な説明】
【図１】本発明の一つの実施の形態に係る原稿台を有する原稿読み取り装置の全体構成をカバー等を除去して示す概略正面図
【図２】光学系部分を省略して示す図１の側面図
【図３】原稿押え蓋を少し開いた状態の原稿台の断面側面図
【図４】原稿押え蓋を閉じた状態の原稿台の断面側面図
【符号の説明】
１    原稿読み取り装置
４    本体フレーム
５    原稿台
２３    移動基盤
２４    原稿受け部材
２５    原稿押え蓋
４５    軸受部材
４６    支軸
４７    上ガラス板
４８    ロック機構
５１    下ガラス板
５２    位置決めピン
５３    揺動軸部（揺動中心）
【図１】
0003656676.tif 000002
【図２】
0003656676.tif 000003
【図３】
0003656676.tif 000004
【図４】
0003656676.tif 000005